(57)【特許請求の範囲】
【請求項１】
１回目のレリーズ動作にてミラーアップを行い、２回目のレリーズ動作にてシャッタの開閉動作を行うミラーアップ機能が搭載されており、そのミラーアップ機能のオンオフ切り替えが可能な撮像装置であって、
振れを検出する振れ検出手段と、
前記振れ検出手段からの情報に基づいて、支持部材を用いた固定状態での撮影であるか否かを判定する判定手段と、
前記ミラーアップ機能をオンに設定する撮影モードか前記ミラーアップ機能をオフに設定する撮影モードを設定する撮影モード設定手段と、
前記判定手段により前記固定状態での撮影でないと判定された場合、前記撮影モード設定手段によってユーザが予め前記ミラーアップ機能をオンに設定する撮影モードに設定しても、前記ミラーアップ機能をオフに設定する撮影モードとする制御手段と有することを特徴とする撮像装置。
【請求項２】
前記制御手段は、撮影モード設定手段によってユーザが予め前記ミラーアップ機能をオンに設定する撮影モードに設定された場合であっても、測光データに基づいて算出された算出シャッタ速度が予め設定された設定シャッタ速度より速い場合、前記ミラーアップ機能をオフに設定する撮影モードに移行することを特徴とする請求項１に記載の撮像装置。
【請求項３】
前記設定シャッタ速度は任意に設定可能であることを特徴とする請求項２に記載の撮像装置。
【請求項４】
前記ミラーアップ機能をオンに設定する撮影モードであるか前記ミラーアップ機能をオフに設定する撮影モードであるかを表示する表示部を更に備えることを特徴とする請求項１ないし３のいずれか１項に記載の撮像装置。
【請求項５】
前記２回目のレリーズ動作は、セルフタイマーによるカウントダウン完了も含まれることを特徴とする請求項１ないし４のいずれか１項に記載の撮像装置。
【請求項６】
１回目のレリーズ動作にてミラーアップを行い、２回目のレリーズ動作にてシャッタの開閉動作を行うミラーアップ機能が搭載されており、そのミラーアップ機能のオンオフ切り替えが可能な撮像装置であって、
前記ミラーアップ機能をオンに設定する撮影モードか前記ミラーアップ機能をオフに設定する撮影モードを設定する撮影モード設定手段と、
振れ検出手段からの出力に基づいた前記撮像装置が支持部材を用いた固定状態での撮影状態であるか否かの判断を受け、前記固定状態での撮影でない場合は、前記撮影モード設定手段によってユーザが予め前記ミラーアップ機能をオンに設定する撮影モードに設定しても、前記ミラーアップ機能をオフに設定する撮影モードとする制御手段と有することを特徴とする撮像装置。
【請求項７】
１回目のレリーズ動作にてミラーアップを行い、２回目のレリーズ動作にてシャッタの開閉動作を行うミラーアップ機能が搭載されており、そのミラーアップ機能のオンオフ切り替えが可能な撮像装置の制御方法であって、
ユーザによって前記ミラーアップ機能をオンに設定する撮影モードか前記ミラーアップ機能をオフに設定する撮影モードを設定する撮影モード設定ステップと、
振れ検出手段からの情報に基づいて、前記撮像装置が支持部材を用いた固定状態での撮影状態であるか否かを判断し、前記固定状態での撮影でない場合は、前記撮影モード設定ステップによってユーザが予め前記ミラーアップ機能をオンに設定する撮影モードに設定しても、前記ミラーアップ機能をオフに設定する撮影モードとする制御ステップとを有することを特徴とする撮像装置の制御方法。
【発明の詳細な説明】
【技術分野】
【０００１】
本発明は、ミラーアップ機能を搭載した撮像装置及びその制御方法に関する。
【背景技術】
【０００２】
撮像装置において、撮影時のミラー移動での振動による像ぶれを防止するために、１回目のレリーズ動作にてミラーアップを行い、２回目のレリーズ動作にてシャッタの開閉動作を行うミラーアップ機能が搭載されているものがある。この種の撮像装置では、ユーザの操作によりミラーアップ機能のオンオフ切り替えが可能となっている。
【０００３】
また、防振機能付きレンズや防振機能付き一眼レフカメラにおいては、振れ検出回路からの振れ検出信号によりカメラが三脚等に支持されていると判断すると、防振機能をオフすることが行われている。また、ミラーアップ機能がオンであるときには、防振機能をオフにして、防振機能による像振れの誤判定に起因する像振れ補正が行われないようにしている（例えば特許文献１を参照）。
【０００４】
【特許文献１】特開平１１−２８２０３７号公報
【発明の開示】
【発明が解決しようとする課題】
【０００５】
しかしながら、ミラーアップ機能が搭載されている場合に、三脚撮影や手持ち撮影といった撮影状況に応じてミラーアップ機能の設定をユーザが適宜変更しなければならなかった。例えば、ミラーアップ機能では、１回目のレリーズ動作にてミラーアップを行い、２回目のレリーズ動作にてシャッタの開閉動作を行うため、ユーザは手持ち撮影にてファインダで被写体を随時確認しながら撮影するときには、１回のレリーズ操作にて撮影できるようミラーアップ機能をオフに設定することが多い。それに対して、三脚に固定して撮影を行う三脚撮影では、ミラー移動による像ぶれが防止できるようミラーアップ機能をオンに設定することが多い。
【０００６】
本発明は上記のような点に鑑みてなされたものであり、撮影状況に応じて自動的にミラーアップ機能のオンオフの設定を適宜切り替えられるようにすることを目的とする。
【課題を解決するための手段】
【０００７】
本発明による撮像装置は、１回目のレリーズ動作にてミラーアップを行い、２回目のレリーズ動作にてシャッタの開閉動作を行うミラーアップ機能が搭載されており、そのミラーアップ機能のオンオフ切り替えが可能な撮像装置であって、振れを検出する振れ検出手段と、前記振れ検出手段からの情報に基づいて、支持部材を用いた固定状態での撮影であるか否かを判定する判定手段と、前記ミラーアップ機能をオンに設定する撮影モードか前記ミラーアップ機能をオフに設定する撮影モードを設定する撮影モード設定手段と、前記判定手段により前記固定状態での撮影でないと判定された場合、前記撮影モード設定手段によってユーザが予め前記ミラーアップ機能をオンに設定する撮影モードに設定しても、前記ミラーアップ機能をオフに設定する撮影モードとする制御手段と有することを特徴とする。
本発明による他の撮像装置は、１回目のレリーズ動作にてミラーアップを行い、２回目のレリーズ動作にてシャッタの開閉動作を行うミラーアップ機能が搭載されており、そのミラーアップ機能のオンオフ切り替えが可能な撮像装置であって、前記ミラーアップ機能をオンに設定する撮影モードか前記ミラーアップ機能をオフに設定する撮影モードを設定する撮影モード設定手段と、振れ検出手段からの出力に基づいた前記撮像装置が支持部材を用いた固定状態での撮影状態であるか否かの判断を受け、前記固定状態での撮影でない場合は、前記撮影モード設定手段によってユーザが予め前記ミラーアップ機能をオンに設定する撮影モードに設定しても、前記ミラーアップ機能をオフに設定する撮影モードとする制御手段と有することを特徴とする。
本発明による撮像装置の制御方法は、１回目のレリーズ動作にてミラーアップを行い、２回目のレリーズ動作にてシャッタの開閉動作を行うミラーアップ機能が搭載されており、そのミラーアップ機能のオンオフ切り替えが可能な撮像装置の制御方法であって、ユーザによって前記ミラーアップ機能をオンに設定する撮影モードか前記ミラーアップ機能をオフに設定する撮影モードを設定する撮影モード設定ステップと、振れ検出手段からの情報に基づいて、前記撮像装置が支持部材を用いた固定状態での撮影状態であるか否かを判断し、前記固定状態での撮影でない場合は、前記撮影モード設定ステップによってユーザが予め前記ミラーアップ機能をオンに設定する撮影モードに設定しても、前記ミラーアップ機能をオフに設定する撮影モードとする制御ステップとを有することを特徴とする。
【発明の効果】
【０００８】
本発明によれば、撮影状況に応じて自動的にミラーアップ機能のオンオフの設定を適宜切り替えることができる。
【発明を実施するための最良の形態】
【０００９】
（第１の実施形態）
以下、添付図面を参照して、本発明の好適な実施形態について説明する。図１は本実施形態のデジタル一眼レフカメラの構成を示す図である。同図において、１は測光データを取得するための測光回路である。２は測距データを取得するための測距回路である。
【００１０】
３はミラー駆動回路である。４はミラー駆動モータである。５はシャッタ装置６の開閉駆動を行うシャッタ駆動回路である。６はシャッタ装置である。７はＣＣＤであり、不図示の交換可能なレンズユニットにより結像された映像を電気信号に変換する。８はクイックリターンミラーであり、光がレンズユニットに入ってくる角度に対して４５度に配置され、反射光を測光回路１や測距回路２に導くが、撮影時にはミラーアップして、光をＣＣＤ７に導く。
【００１１】
９はＣＣＤ７の出力を処理する画像信号処理回路である。１０は画像メモリである。１１はカメラの振れを検出するジャイロである。１２はジャイロ１１からの出力を検出し、振れの判断を行う振れ検出回路である。
【００１２】
１３はカメラの各部を制御するためのＣＰＵ（マイクロコンピュータ）である。１４は映像信号に変換された画像や設定情報を表示するＬＣＤパネルである。１５はメモリカードコントローラである。１６は画像データを保存する着脱可能なメモリカードである。
【００１３】
ＳＷ１／ＳＷ２はレリーズスイッチであり、ＳＷ１は半押しにてオン、ＳＷ２は全押しにてオンとなる。ＳＷ３はカメラの各種設定を行うメニュースイッチである。ＳＷ４は撮影時にてシャッタ速度選択スイッチ、メニュー時にて選択スイッチとなるスイッチである。ＳＷ５は撮影時にて絞り選択スイッチ、メニュー時にて確定スイッチとなるスイッチである。
【００１４】
次に、図２を参照して、本実施形態のデジタル一眼レフカメラでの画像記録時の処理動作について説明する。図２（ａ）に示すように、通常撮影モードでは、レリーズスイッチの半押し操作により、測光回路１からの測光データがＣＰＵ１３に入力されて、シャッタ速度や絞り値が算出される。また、測距回路２からの測距データもＣＰＵ１３に入力されて、合焦動作が行われる。シャッタ速度や絞り値が算出され、合焦判定が行われた後、レリーズスイッチの全押しにより、ミラーアップが行われ、シャッタの開閉動作が行われるとともにミラーダウンが行われる。
【００１５】
図２（ｂ）に示すように、ミラーアップ撮影モードでは、レリーズスイッチの半押し操作により、測光回路１からの測光データがＣＰＵ１３に入力されて、シャッタ速度や絞り値が算出される。また、測距回路２からの測距データもＣＰＵ１３に入力されて、合焦動作を行われる。シャッタ速度や絞り値が算出され、合焦判定が行われた後、レリーズスイッチの全押し（１回目のレリーズ動作）により、ミラーアップが行われ、再度のレリーズスイッチの全押し待機状態となる。ミラーアップの状態で再度のレリーズスイッチの全押し（２回目のレリーズ動作）が検出されると、シャッタの開閉動作が行われるとともにミラーダウンが行われる。
【００１６】
通常撮影モード及びミラーアップ撮影モード共に、シャッタの開閉動作により撮像される画像は、レンズを介してＣＣＤ７に結像され、画像信号処理回路９において所定の読み出しタイミングでＣＣＤ７から読み出される。読み出されたデータは、画像信号処理回路９においてＡＷＢ補正やγ補正等の画像補正処理が施されて画像データに変換される。この画像データは、記録モードにて指定されたＪＰＥＧ圧縮／ＭＰＥＧ圧縮／非圧縮の処理が施された後、メモリカード１６に記録されるとともにＬＣＤパネル１４に出力される。
【００１７】
また、ＬＣＤパネル１４に表示にされる設定情報として、図３（ａ）に示すように、ＣＰＵ１３により算出されたシャッタ速度や絞り値が表示されるとともに、メニューにより設定された測光方式、セルフタイマー／ホワイトバランスの設定、記録可能枚数が表示される。
【００１８】
図３（ｂ）にはメニュー画面を示す。メニュー画面にて設定可能な項目は、測光方式、ホワイトバランス、ドライブモード、ミラーアップ、セルフタイマー、防振機能、ミラーアップシャッタ速度であり、表１に示す内容により設定可能である。
【００１９】
【表１】
0004817842.tif 000002
【００２０】
上述した情報とともに、ＬＣＤパネル１４にはミラーアップ機能のオン／オフ状態も表示され、撮影モードが通常撮影モードであるかミラーアップ撮影モードであるかの判断が可能である。図３（ａ）に示すのは、ミラーアップ機能のオン状態である。
【００２１】
図４は、本実施形態のデジタル一眼レフカメラのＣＰＵ１３が実行する処理動作を説明するためのフローチャートである。このフローチャートに従って、通常撮影モード／ミラーアップ撮影モードの切り替えシーケンスを説明する。
【００２２】
ステップＳ０１では、振れ検出回路１２からの情報に基づいて、カメラが支持部材である三脚に固定されていると判断した場合に、三脚モードとしてステップＳ０２に分岐し、固定されていないと判断した場合に、手持ちモードとしてステップＳ１１に分岐する。
【００２３】
まず、三脚モード時について説明する。ステップＳ０２では、メニュー設定にてミラーアップ機能がオンに設定されている場合は、ＬＣＤパネル１４に「ミラーＯＮ」の表示を行い、ステップＳ０４に移行してレリーズスイッチの操作待ちとなる。メニュー設定にて、ミラーアップがオフに設定されている場合は、ステップＳ０３に移行する。
【００２４】
ステップＳ０３では、三脚モードであるためミラーアップ機能をオンに設定変更し、ＬＣＤ表示パネル１４に「ミラーＯＮ」の表示を行う。
【００２５】
ステップＳ０４では、レリーズスイッチの半押しが操作された場合にステップＳ０５に移行し、操作されない場合は待機する。
【００２６】
ステップＳ０５では、測光回路１及び測距回路２からの情報により撮影に必要なシャッタ速度や絞り値、合焦動作を算出して、合焦動作を行う。この場合に、ステップＳ０６では、ＬＣＤパネル１４に算出したシャッタ速度や絞り値を表示する。
【００２７】
ステップＳ０７では、レリーズスイッチの全押しが操作された場合にステップＳ０８に移行するとともに、メニューにてセルフタイマーがオンに設定されている場合はセルフタイマーのカウントダウンを開始する。操作されない場合はステップＳ０７-１でレリーズスイッチの半押しのチェックを行い、レリーズスイッチの半押しが解除されていればステップＳ０４へ戻り、解除されていなければステップＳ０７へ戻る。
【００２８】
ステップＳ０８では、ミラーアップを行う。メニューにてセルフタイマーがオンに設定されている場合は、セルフタイマーのカウントダウン完了にてミラーアップを行う。
【００２９】
ステップＳ０９では、ミラーアップが完了するまで待機し、完了したならばステップＳ１０に移行する。
【００３０】
ステップＳ１０では、再度のレリーズスイッチの全押し待ちとなり、レリーズスイッチの全押しが操作された場合にステップＳ１９に移行する。メニューにてセルフタイマーがオンに設定されている場合は、セルフタイマーのカウントダウン完了でもステップＳ１９に移行する。
【００３１】
次に、手持ちモード時について説明する。ステップＳ１１では、メニュー設定にてミラーアップ機能がオフに設定されている場合は、ＬＣＤパネル１４に「ミラーＯＦＦ」の表示を行い、ステップＳ０４に移行してレリーズスイッチの操作待ちとなる。メニュー設定にて、ミラーアップがオフに設定されている場合は、ステップＳ１２に移行する。
【００３２】
ステップＳ１２では、手持ちモードであるためミラーアップ設定をオフに設定変更し、ＬＣＤ表示パネル１４に「ミラーＯＦＦ」の表示を行う。
【００３３】
ステップＳ１３では、レリーズスイッチの半押しが操作された場合にステップＳ１４に移行し、操作されない場合は待機する。
【００３４】
ステップＳ１４では、測光回路１及び測距回路２からの情報により撮影に必要なシャッタ速度や絞り値、合焦動作を算出して、合焦動作を行う。この場合に、ステップＳ１５では、ＬＣＤパネル１４に算出したシャッタ速度や絞り値を表示する。
【００３５】
ステップＳ１６では、レリーズスイッチの全押しが操作された場合にステップＳ１７に移行するとともに、メニューにてセルフタイマーがオンに設定されている場合はセルフタイマーのカウントダウンを開始する。操作されない場合はステップＳ１６-１でレリーズスイッチの半押しのチェックを行い、レリーズスイッチの半押しが解除されていればステップＳ１３へ戻り、解除されていなければステップＳ１６へ戻る。
【００３６】
ステップＳ１７では、ミラーアップを行う。メニューにてセルフタイマーがオンに設定されている場合は、セルフタイマーのカウントダウン完了にてミラーアップを行う。
【００３７】
ステップＳ１８では、ミラーアップが完了するまで待機し、完了したならばステップＳ１９に移行する。
【００３８】
ステップＳ１９では、シャッタ駆動を開始する。ステップＳ２０では、シャッタ駆動が完了し露光が終了したか否かを判定し、終了したならばステップＳ２１に移行する。ステップＳ２１では、ミラーダウンを行う。ステップＳ２２では、ミラーダウンが完了したか否かを判定し、完了したならば撮影シーケンスの終了となる。
【００３９】
以上説明したように、振れ検出回路１２からの情報に基づいて、カメラが三脚に固定されていると判断した場合は三脚モードとし、固定されていないと判断した場合は手持ちモードとする。そして、三脚モードではミラーアップ機能をオンにするので、ミラー移動による像ぶれを防止することができる。また、手持ちモードではミラーアップ機能をオフにするので、ファインダで被写体を随時確認しながら撮影するときには、１回のレリーズ操作にて撮影することができる。このように撮影状況に応じて自動的にミラーアップ機能のオンオフの設定が適宜切り替えられるので、ユーザ自らがミラーアップ機能のオンオフの設定を切り替えるような手間が不要となる。
【００４０】
（第２の実施形態）
第２の実施形態では、表１に示したメニュー設定項目のうちミラーアップシャッタ速度が設定されている場合を説明する。この場合、三脚モード（ミラーアップ機能をオンに設定する撮影モード）時に、測光データに基づいて算出されたシャッタ速度がユーザにより設定されたシャッタ速度より速ければ、通常撮影モード（ミラーアップ機能をオフに設定する撮影モード）に移行させる。なお、デジタル一眼レフカメラの構成は上記第１の実施形態で説明したものと同様である。
【００４１】
図５は、本実施形態のデジタル一眼レフカメラのＣＰＵ１３が実行する処理動作を説明するためのフローチャートである。このフローチャートに従って、通常撮影モード／ミラーアップ撮影モードの切り替えシーケンスを説明する。以下では、上記第１の実施形態との相違点のみを説明する。
【００４２】
三脚モード時において、ステップＳ０６-１では、上記ステップＳ０６において算出されたシャッタ速度とユーザにより設定されたミラーアップシャッタ速度との比較を行う。その結果、算出されたシャッタ速度の方が速い場合、通常撮影モードのステップＳ１６に移行する。このように制御すると、三脚に固定したまま動きの速い被写体を撮影する場合には都合がよい。
【００４３】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００４４】
この場合、記憶媒体から読み出されたプログラムコード自体が上述した実施形態の機能を実現することになり、プログラムコード自体及びそのプログラムコードを記憶した記憶媒体は本発明を構成することになる。
【００４５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４６】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００４７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００４８】
【図１】第１の実施形態のデジタル一眼レフカメラの構成を示す図である。
【図２】通常撮影モード及びミラーアップ撮影モードでのタイミングチャートである。
【図３】ＬＣＤパネルの表示例を示す図である。
【図４】第１の実施形態のデジタル一眼レフカメラでの処理動作を説明するためのフローチャートである。
【図５】第２の実施形態のデジタル一眼レフカメラでの処理動作を説明するためのフローチャートである。
【符号の説明】
【００４９】
１  測光回路
２  測距回路
３  ミラー駆動回路
４  ミラー駆動モータ
５  シャッタ駆動回路
６  シャッタ装置
７  ＣＣＤ
８  ミラー
９  画像信号処理回路
１０  画像メモリ
１１  ジャイロ
１２  振れ検出回路
１３  ＣＰＵ
１４  ＬＣＤパネル
１５  メモリカードコントローラ
１６  メモリカード
【図１】
0004817842.tif 000003
【図２】
0004817842.tif 000004
【図３】
0004817842.tif 000005
【図４】
0004817842.tif 000006
【図５】
0004817842.tif 000007